(57)【要約】【課題】撮像レンズが高精度に位置決めされたカメラモジュールを実現する。【解決手段】カメラモジュール１００において、レンズバレル７の底面と、センサカバー２２の表面とを互いに当接させることによって、撮像レンズ６の無限遠端の位置を規定する。【選択図】図２
2010134409.tif 000002
【特許請求の範囲】
【請求項１】
撮像レンズと撮像レンズを保持するレンズバレルとを有する光学部と、
無限遠端からマクロ端まで撮像レンズを光軸方向に駆動するレンズ駆動部と、
上記撮像レンズを通して入射された光を電気信号に変換する撮像素子を有する撮像部とを備えたカメラモジュールであって、
上記レンズ駆動部は、上記光学部を内部に保持し、光軸方向に移動できる可動部と、撮像レンズの駆動時に位置が変動しない固定部とを備えており、
上記レンズ駆動部が、上記撮像レンズを無限遠端に駆動させたとき、上記光学部の基準面と、上記固定部に形成されたレンズ駆動部の基準面または撮像部の基準面とが互いに当接することを特徴とするカメラモジュール。
【請求項２】
上記光学部の外側面およびレンズ駆動部の内側面の少なくとも一方には、ねじ切りが施されていないことを特徴とする請求項１に記載のカメラモジュール。
【請求項３】
上記光学部の外側面およびレンズ駆動部の内側面のいずれにも、ねじ切りが施されていないことを特徴とする請求項２に記載のカメラモジュール。
【請求項４】
上記光学部の基準面は、レンズバレルの底面であることを特徴とする請求項１〜３のいずれか１項に記載のカメラモジュール。
【請求項５】
上記レンズバレルの底面の一部が除去されていることを特徴とする請求項４に記載のカメラモジュール。
【請求項６】
上記光学部の基準面は、上記撮像レンズのコバ部に形成されていることを特徴とする請求項１〜３のいずれか１項に記載のカメラモジュール。
【請求項７】
上記撮像レンズのコバ部に、リテナーが設けられており、
上記光学部の基準面が、リテナーの底面であることを特徴とする請求項１〜３のいずれか１項に記載のカメラモジュール。
【請求項８】
上記光学部の基準面は、上記撮像素子に入射されるべき光を遮断しないように設けられていることを特徴とする請求項１〜７のいずれか１項に記載のカメラモジュール。
【請求項９】
上記撮像部は、上記撮像素子の少なくとも一部を覆うと共に、表面にレンズ駆動部が搭載されるセンサカバーを備えており、
上記撮像部の基準面が、センサカバーの表面であることを特徴とする請求項１〜３のいずれか１項に記載のカメラモジュール。
【請求項１０】
上記固定部は、上記レンズ駆動部の底部を構成するベースを備えており、
上記ベースとセンサカバーとが、一体となっており、
上記レンズ駆動部の基準面が、上記センサカバーの表面であることを特徴とする請求項９に記載のカメラモジュール。
【請求項１１】
上記センサカバーの裏面が、上記撮像素子の受光面に接触していることを特徴とする請求項９または１０に記載のカメラモジュール。
【請求項１２】
上記撮像部の基準面が、上記撮像素子の受光面であることを特徴とする請求項１〜３のいずれか１項に記載のカメラモジュール。
【請求項１３】
上記光学部の基準面は、上記撮像素子の受光部を避けて、撮像素子の受光面に当接することを特徴とする請求項１２に記載のカメラモジュール。
【請求項１４】
上記撮像素子は、基板上に実装されており、
上記撮像部の基準面は、上記基板の撮像素子実装面であることを特徴とする請求項１〜３のいずれか１項に記載のカメラモジュール。
【請求項１５】
上記撮像部は、上記撮像素子の受光部を覆う光透過基板を備えていることを特徴とする請求項１〜１４のいずれか１項に記載のカメラモジュール。
【請求項１６】
上記光学部の基準面と、レンズ駆動部の基準面または撮像部の基準面とが互いに当接した状態で、上記光学部の基準面と光透過基板とが互いに接触しないことを特徴とする請求項１５に記載のカメラモジュール。
【請求項１７】
上記撮像部の基準面は、上記光透過基板よりも、撮像レンズに近い位置に設けられていることを特徴とする請求項１５または１６に記載のカメラモジュール。
【請求項１８】
上記固定部は、上記レンズ駆動部の底部を構成するベースを備えており、
上記光透過基板は、上記撮像レンズとの対向面が、上記ベースに接着されていることを特徴とする請求項１５〜１７のいずれか１項に記載のカメラモジュール。
【請求項１９】
上記撮像部は、上記撮像素子の受光部を覆う光透過基板を備えており、
上記撮像部の基準面が、上記光透過基板の表面であることを特徴とする請求項１〜８のいずれか１項に記載のカメラモジュール。
【請求項２０】
上記光学部の基準面と、撮像部の基準面またはレンズ駆動部の基準面との接触面の少なくとも一方の面に、衝撃吸収部材が設けられていることを特徴とする請求項１〜１９のいずれか１項に記載のカメラモジュール。
【請求項２１】
上記レンズ駆動部は、上記可動部を光軸方向に可動に支持する弾性体を備えることを特徴とする請求項８に記載のカメラモジュール。
【請求項２２】
上記光学部の外側面およびレンズ駆動部の内側面の少なくとも一方に、凹部が形成されていることを特徴とする請求項１〜２１のいずれか１項に記載のカメラモジュール。
【請求項２３】
上記無限遠端は、オーバーインフに設定されていることを特徴とする請求項１〜２２のいずれか１項に記載のカメラモジュール。
【請求項２４】
撮像レンズと撮像レンズを保持するレンズバレルとを有する光学部と、
無限遠端からマクロ端まで、撮像レンズを光軸方向に駆動するレンズ駆動部と、
撮像レンズを通して入射された光を電気信号に変換する撮像素子を有する撮像部とを備え、上記レンズ駆動部は、上記光学部を内部に保持し、光軸方向に移動できる可動部と、撮像レンズの駆動時に位置が変動しない固定部とを備えたカメラモジュールにおける、撮像レンズの光軸方向の位置を規定するレンズの位置決め方法であって、
上記光学部の基準面と、上記固定部に形成されたレンズ駆動部の基準面または撮像部の基準面とを互いに当接させることによって、撮像レンズの無限遠端を規定することを特徴とするレンズの位置決め方法。
【請求項２５】
上記撮像部は、上記撮像素子の少なくとも一部を覆うと共に、表面にレンズ駆動部が搭載されるセンサカバーを備えており、
上記撮像部の基準面が、センサカバーの表面であることを特徴とする請求項２４に記載のレンズの位置決め方法。
【請求項２６】
上記固定部は、上記レンズ駆動部の底部を構成するベースを備えており、
上記ベースとセンサカバーとが、一体となっており、
上記レンズ駆動部の基準面が、上記センサカバーの表面であることを特徴とする請求項２５に記載のレンズの位置決め方法。
【請求項２７】
上記センサカバーの裏面が、上記撮像素子の受光面に接触していることを特徴とする請求項２５または２６に記載のレンズの位置決め方法。
【請求項２８】
上記撮像部は、上記撮像素子の受光部を覆う光透過基板を備えており、
上記撮像部の基準面が、上記光透過基板の表面であることを特徴とする請求項２４に記載のレンズの位置決め方法。
【請求項２９】
上記撮像部の基準面が、上記撮像素子の受光面であることを特徴とする請求項２４に記載のレンズの位置決め方法。
【請求項３０】
上記撮像素子は、基板上に実装されており、
上記撮像部の基準面は、上記基板の撮像素子実装面であることを特徴とする請求項２４に記載のレンズの位置決め方法。
【請求項３１】
上記光学部の基準面を、上記レンズ駆動部の基準面または撮像部の基準面との当接方向に加圧しながら、上記光学部をレンズ駆動部に固定することを特徴とする請求項２４〜３０のいずれか１項に記載のレンズの位置決め方法。
【請求項３２】
撮像レンズと撮像レンズを保持するレンズバレルとを有する光学部と、
無限遠端からマクロ端まで、撮像レンズを光軸方向に駆動するレンズ駆動部と、
撮像レンズを通して入射された光を電気信号に変換する撮像素子を有する撮像部とを備え、上記レンズ駆動部は、上記光学部を内部に保持し、光軸方向に移動できる可動部と、撮像レンズの駆動時に位置が変動しない固定部とを備えたカメラモジュールにおける、撮像レンズの光軸方向の位置を規定するレンズの位置決め方法であって、
上記光学部の基準面に対して撮像レンズの光軸方向位置を調整する工程と、
上記光学部の基準面と、上記固定部に形成されたレンズ駆動部の基準面または撮像部の基準面とを当接させる工程と、
各基準面を当接させた状態でレンズバレルをレンズ駆動部に対して固定する工程とを含むことを特徴とするレンズの位置決め方法。
【請求項３３】
前記光学部の基準面は、撮像レンズのコバ部に取り付けられたリテナーであり、
リテナーの厚さを選択することにより、レンズバレルの基準面に対する光軸方向位置を調整することを特徴とする請求項３２に記載のレンズの位置決め方法。
【請求項３４】
請求項１〜２３のいずれか１項に記載のカメラモジュールを備える電子機器。
【発明の詳細な説明】
【技術分野】
【０００１】
本発明は、携帯電話等の電子機器に搭載されるカメラモジュール、カメラモジュール用レンズの位置決め方法に関するものであって、特にレンズ駆動部に撮像レンズを取り付ける際に、ネジによる位置調整を行う必要がないカメラモジュールの構造およびレンズの位置決め方法に関するものである。
【背景技術】
【０００２】
近年、レンズ駆動装置によってオートフォーカス機能を発揮するカメラモジュールを、携帯電話等の電子機器に搭載される例が増加してきている。レンズ駆動装置には、ステッピングモータを利用するタイプ、圧電素子を利用するタイプ、ＶＣＭ（Voice Coil Motor：ボイスコイルモータ）タイプなど、様々なタイプが存在し、すでに市場に流通している。
【０００３】
このようなレンズ駆動装置に対してレンズを固定する場合、撮像素子に対するレンズの光軸方向の初期位置を的確に設定しないと、デフォーカスによりピンボケ画像となってしまう。レンズを移動させない固定焦点型カメラモジュールでは、撮像素子または撮像素子を保持する部材に対して、直接レンズまたはレンズを保持するレンズホルダを取り付けることによって、上記レンズの初期位置の高精度化を図ることが可能である（例えば、特許文献１等参照）。
【先行技術文献】
【特許文献】
【０００４】
【特許文献１】特開２００３−０４６８２５号公報（２００３年２月１４日公開）
【特許文献２】特開２００８−１９７３１３号公報（２００８年８月２８日公開）
【発明の概要】
【発明が解決しようとする課題】
【０００５】
しかしながら、オートフォーカス機能を備えたカメラモジュールでは、撮像レンズの取付け精度が低いため、初期フォーカス調整が必要であるという問題が生じる。
【０００６】
具体的には、レンズ駆動装置によってレンズを光軸方向に移動させるオートフォーカス機能を備えたカメラモジュールでは、レンズ駆動装置にレンズまたはレンズホルダが取り付けられる。この場合、レンズの初期位置の設定時に、レンズ駆動装置の組立誤差（レンズ駆動装置の取付け基準面から、レンズ取付け基準面までの積算誤差）が加算される。このため、この組立誤差を調整せずに、レンズを取り付けるのは極めて困難である。それゆえ、この組立誤差を調整するために、初期フォーカス調整が必要になる。
【０００７】
すなわち、ステッピングモータまたは圧電素子を利用するレンズ駆動装置は、光軸方向のストロークを比較的大きく設定することができる。このため、予め、撮像レンズが組み込まれたレンズ駆動装置の可動部を駆動しながら、無限遠（ＩＮＦ）での合焦位置を探す初期フォーカス調整が行われる。そして、調整後の合焦位置をＩＮＦ基準位置とする。さらに、ＩＮＦ基準位置からさらにレンズを駆動することでマクロ状態での合焦位置も探し、マクロ基準位置とする。これにより、無限遠側、および、マクロ側のいずれの位置でも、適切な位置にレンズが取り付けられる。
【０００８】
しかし、この場合には、本来必要なＩＮＦ位置とマクロ位置との間のストロークに加えて、レンズ駆動装置に対するレンズの取付け位置誤差を吸収するために、余分なストロークを確保しておく必要がある。
【０００９】
一方、ＶＣＭ方式のレンズ駆動装置は、レンズ駆動装置の可動部を、バネで支持する構造となっている。このため、レンズ駆動装置に対するレンズの取付け位置誤差を吸収するために、ＩＮＦ位置とマクロ位置との間のストロークが大きくなると、そのバネの反発力も大きくなる。その結果、多大な推力が必要になること、および、バネの変形量が大きくなるためにバネに多大な歪を与えることなどの問題が生じる。このため、ストロークの中で、ＩＮＦ側の合焦位置を探すような方法が用いられることは少ない。
【００１０】
そこで、ＶＣＭ方式のレンズ駆動装置では、電流ゼロの状態で、可動部（ホルダー）がＩＮＦ側の基準面に押圧（プリロード）された状態で保持される。また、可動部（ホルダー）の内側面に雌ねじが、レンズを搭載したレンズバレルの外側面に雄ねじが形成される。そして、初期フォーカス調整では、可動部（ホルダー）に対してレンズバレルをねじ込むことで、ＩＮＦ側の初期位置を調整する。このような調整によって、可動部がＩＮＦ側基準位置に保持された状態が、レンズの合焦位置となる。従って、ＶＣＭ方式のレンズ駆動装置では、このＩＮＦ側基準位置を基準にマクロ側に繰り出すためのストロークさえあれば良いことになる。それゆえ、必要ストロークの縮小化が図れる。
【００１１】
特許文献２には、ＶＣＭ方式のレンズ駆動装置を備えたカメラモジュールが開示されている。このカメラモジュールは、レンズバレルのねじ込みにより、光軸方向のレンズ位置が調整される。
【００１２】
図１５は、特許文献２のカメラモジュールの分解斜視図である。カメラモジュール２０１では、レンズを保持するレンズホルダ２０２が、板ばね２０３、２０４により支持される。また、カメラモジュール２０１は、レンズホルダ２０２に固定されるコイル２０５と、コイル２０５に対向して配置されるマグネット２０６とを用いて、レンズホルダ２０２をレンズの光軸方向に駆動する。レンズケース２０７の外周面（外側面）には、ねじ山２０８が形成されている。ねじ山２０８は、レンズホルダ２０２の内周面に形成されたねじ山と係合し、レンズケース２０７の位置調整に利用される。レンズケース２０７は、イメージセンサ２０９との距離が最適となるように、初期調整される。
【００１３】
そこで、本発明は、上記従来の問題点に鑑みてなされたものであり、その目的は、撮像レンズが高精度に位置決めされたカメラモジュールおよび電子機器、並びに、撮像レンズを高精度に位置決めすることのできるレンズの位置決め方法を提供することにある。
【課題を解決するための手段】
【００１４】
本発明のカメラモジュールは、上記の課題を解決するために、撮像レンズと撮像レンズを保持するレンズバレルとを有する光学部と、
無限遠端からマクロ端まで撮像レンズを光軸方向に駆動するレンズ駆動部と、
上記撮像レンズを通して入射された光を電気信号に変換する撮像素子を有する撮像部とを備えたカメラモジュールであって、
上記レンズ駆動部は、上記光学部を内部に保持し、光軸方向に移動できる可動部と、撮像レンズの駆動時に位置が変動しない固定部とを備えており、
上記レンズ駆動部が、上記撮像レンズを無限遠端に駆動させたとき、上記光学部の基準面と、上記固定部に形成されたレンズ駆動部の基準面または撮像部の基準面とが互いに当接することを特徴としている。
【００１５】
上記の発明によれば、レンズ駆動部が光学部を無限遠端に駆動させると、光学部の基準面と、レンズ駆動部の基準面または撮像部との基準面とが互いに当接する。ここで、レンズ駆動部の固定部、および、撮像部は、撮像レンズを駆動させても位置が変動しない。つまり、光学部の基準面と、位置が固定されたレンズ駆動部の基準面または撮像部の基準面との面接触によって、無限遠端の撮像レンズの位置が規定される。これにより、レンズ駆動部の固定部から可動部に至る間に累積される撮像レンズの取付け誤差をなくすことができる。このため、無限遠端における、撮像素子から撮像レンズまでの距離（いわゆる焦点距離）が、確実に規定される。従って、初期フォーカス調整が不要な程度にまで、高精度に撮像レンズを取り付けることができる。それゆえ、撮像レンズが高精度に位置決めされたカメラモジュールを実現することができる。
【００１６】
本発明のカメラモジュールでは、上記光学部の外側面およびレンズ駆動部の内側面の少なくとも一方には、ねじ切りが施されていないことが好ましい。
【００１７】
上記の発明によれば、上記光学部の外側面およびレンズ駆動部の内側面の少なくとも一方には、ねじ切りが施されていない。このため、光学部およびレンズ駆動部の少なくともどちらかは、フォーカス調整用のねじ山を形成する必要がない。さらに、ねじ山を形成する場合に、ねじの形状の制御が不要となる。従って、光学部およびレンズ駆動部の製造が容易となる。
【００１８】
本発明のカメラモジュールでは、上記光学部の外側面およびレンズ駆動部の内側面のいずれにも、ねじ切りが施されていないことが好ましい。
【００１９】
上記の発明によれば、光学部の外側面およびレンズ駆動部の内側面の両方に、ねじ切りが施されていない。このため、光学部およびレンズ駆動部には、フォーカス調整用に、ねじ山を形成する必要がない。従って、カメラモジュールの小径化が可能となる。また、無限遠端とマクロ端（ＩＮＦ位置とマクロ位置）との間のストロークに、ねじ込み量のばらつきを考慮した余分なストロークを形成する必要もない。従って、カメラモジュールの薄型化にも対応可能である。
【００２０】
また、上記の発明によれば、ねじ山の形成が必要ない分、光学部およびレンズ駆動部を形成する金型を簡素化することができる。従って、金型コストの削減およびタクトタイムの短縮化を実現することができる。
【００２１】
さらに、上記の発明によれば、ねじ込みによるフォーカス調整を行わないため、ねじ形状のばらつきまたは劣化による、ねじ込みトルク管理が不要になる。
【００２２】
本発明のカメラモジュールでは、上記光学部の基準面は、レンズバレルの底面であってもよい。
【００２３】
上記の発明によれば、レンズ駆動部が光学部を無限遠端に駆動させると、レンズバレルの底面が、撮像部の基準面またはレンズ駆動部の基準面に当接する。これにより、撮像レンズを保持するレンズバレルの底面を、光学部の基準面として、無限遠端の撮像レンズの位置が規定される。従って、高精度に撮像レンズを取り付けることができる。
【００２４】
本発明のカメラモジュールでは、上記レンズバレルの底面の一部が除去されていてもよい。
【００２５】
上記の発明によれば、光学部の基準面であるレンズバレルの底面が一部除去されている。これにより、レンズバレルを軽量化することができる。また、光のケラレを防止することもできる。
【００２６】
本発明のカメラモジュールでは、上記光学部の基準面は、上記撮像レンズのコバ部に形成されていてもよい。
【００２７】
上記の発明によれば、レンズ駆動部が光学部を無限遠端に駆動させると、撮像レンズのコバ部に形成された基準面が、撮像部の基準面またはレンズ駆動部の基準面に当接する。これにより、焦点距離の基準となる撮像レンズ自身を光学部の基準面として、無限遠端の撮像レンズの位置が規定される。従って、より高精度に撮像レンズを取り付けることができる。
【００２８】
なお、撮像レンズのコバ部は、撮像に寄与しない部分であるため、実際の撮像には何ら影響を及ぼさない。
【００２９】
本発明のカメラモジュールでは、上記撮像レンズのコバ部に、リテナーが設けられており、上記光学部の基準面が、リテナーの底面であってもよい。
【００３０】
上記の発明によれば、レンズ駆動部が光学部を無限遠端に駆動させると、撮像レンズのコバ部に形成されたリテナーの底面が、撮像部の基準面またはレンズ駆動部の基準面に当接する。これにより、焦点距離の基準となる撮像レンズ自身を光学部の基準面として、無限遠端の撮像レンズの位置が規定される。従って、より高精度に撮像レンズを取り付けることができる。
【００３１】
なお、撮像レンズのコバ部は、撮像に寄与しない部分であるため、実際の撮像には何ら影響を及ぼさない。
【００３２】
本発明のカメラモジュールでは、上記光学部の基準面は、上記撮像素子に入射されるべき光を遮断しないように設けられていてもよい。
【００３３】
上記の発明によれば、光学部の基準面と、撮像部の基準面またはレンズ駆動部の基準面とを当接させても、光学部の基準面が、撮像に必要な撮像素子への入射光を遮断しない。従って、高精度に撮像レンズの位置を規定しつつ、適切な撮像が可能となる。
【００３４】
本発明のカメラモジュールでは、上記撮像部は、上記撮像素子の少なくとも一部を覆うと共に、表面にレンズ駆動部が搭載されるセンサカバーを備えており、上記撮像部の基準面が、センサカバーの表面であってもよい。
【００３５】
上記の発明によれば、レンズ駆動部が光学部を無限遠端に駆動させると、光学部の基準面が、センサカバーの表面に当接する。これにより、レンズ駆動部の搭載面であるセンサカバーの表面を撮像部の基準面として、無限遠端の撮像レンズの位置が規定される。このため、焦点距離の誤差は、センサカバーの厚さのばらつきと、レンズバレルに対する撮像レンズの取付け誤差のみとなる。従って、高精度に撮像レンズを取り付けることができる。
【００３６】
本発明のカメラモジュールでは、上記固定部は、上記レンズ駆動部の底部を構成するベースを備えており、上記ベースとセンサカバーとが、一体となっており、上記レンズ駆動部の基準面が、上記センサカバーの表面であってもよい。
【００３７】
上記の発明によれば、撮像部のセンサカバーと、レンズ駆動部のベースとが、同一部材から形成されている。これにより、部品点数を削減することができる。さらに、上記の発明によれば、センサカバーに、撮像部の基準面に加えて、レンズ駆動部の基準面も形成されている。すなわち、レンズ駆動部が光学部を無限遠端に駆動させると、光学部の基準面が、センサカバーの表面に当接する。このセンサカバーの表面は、撮像部の基準面と、レンズ駆動部の基準面とを兼ねている。そして、センサカバーの表面を撮像部の基準面として、無限遠端の撮像レンズの位置が規定される。このため、焦点距離の誤差は、センサカバーの厚さのばらつきと、レンズバレルに対する撮像レンズの取付け誤差のみとなる。従って、高精度に撮像レンズを取り付けることができる。
【００３８】
本発明のカメラモジュールでは、上記センサカバーの裏面が、上記撮像素子の受光面に接していることが好ましい。
【００３９】
上記の発明によれば、センサカバーの裏面（下面）が、焦点距離の起点となる撮像素子の受光面に接している。一方、センサカバーの上面は、撮像部の基準面となっている。このため、焦点距離の誤差は、センサカバーの厚さのばらつきと、レンズバレルに対する撮像レンズの取付け誤差のみとなる。従って、非常に高精度に撮像レンズを取り付けることができる。
【００４０】
本発明のカメラモジュールでは、上記撮像部の基準面が、上記撮像素子の受光面であってもよい。
【００４１】
上記の発明によれば、レンズ駆動部が光学部を無限遠端に駆動させると、光学部の基準面が、撮像素子の受光面（受光部が形成された面）に当接する。これにより、焦点距離の基準となる撮像素子自身を撮像部の基準面として、無限遠端の撮像レンズの位置が規定される。このため、焦点距離の誤差は、レンズバレルに対する撮像レンズの取付け誤差のみとなる。従って、より高精度に撮像レンズを取り付けることができる。
【００４２】
本発明のカメラモジュールでは、上記光学部の基準面は、上記撮像素子の受光部を避けて、撮像素子の受光面に当接する構成であってもよい。
【００４３】
上記の発明によれば、レンズ駆動部が光学部を無限遠端に駆動させると、光学部の基準面が、撮像素子の受光面（受光部が形成された面）に、受光部を避けて当接する。つまり、撮像素子の基準面は、撮像に寄与しない部分に形成されていることになる。従って、実際の撮像には何ら影響を及ぼすことなく、高精度に撮像レンズを取り付けることができる。
【００４４】
本発明のカメラモジュールでは、上記撮像素子は、基板上に実装されており、
上記撮像部の基準面は、上記基板の撮像素子実装面であってもよい。
【００４５】
上記の発明によれば、レンズ駆動部が光学部を無限遠端に駆動させると、光学部の基準面が、基板の撮像素子実装面に当接する。これにより、撮像素子が実装される基板表面を撮像部の基準面として、無限遠端の撮像レンズの位置が規定される。このため、焦点距離の誤差は、撮像素子の厚さばらつきと、レンズバレルに対する撮像レンズの取付け誤差のみとなる。従って、高精度に撮像レンズを取り付けることができる。
【００４６】
本発明のカメラモジュールでは、上記撮像部は、上記撮像素子の受光部を覆う光透過基板を備えていてもよい。
【００４７】
上記の発明によれば、光透過基板によって、撮像素子の受光部が覆われる。これにより、受光部への異物の侵入を低減することができる。従って、その異物による撮像不良を防止できる。
【００４８】
本発明のカメラモジュールでは、上記光学部の基準面と、レンズ駆動部の基準面または撮像部の基準面とが互いに当接した状態で、上記光学部の基準面と光透過基板とが互いに接触しない構成であってもよい。
【００４９】
上記の発明によれば、光学部の基準面と、撮像部の基準面またはレンズ駆動部の基準面とを当接させても、光学部の基準面と光透過基板とが互いに接触しない。従って、光透過基板の破損を防止することができる。
【００５０】
本発明のカメラモジュールでは、上記撮像部は、上記撮像素子の受光部を覆う光透過基板を備えており、上記撮像部の基準面は、上記光透過基板よりも、撮像レンズに近い位置に設けられていてもよい。
【００５１】
上記の発明によれば、撮像部の基準面が、撮像レンズに近くに（撮像素子から離れて）設けられている。これにより、光学部の基準面と、撮像部の基準面またはレンズ駆動部の基準面とを当接させても、光学部の基準面と光透過基板とが互いに接触しない。従って、光透過基板の破損を防止することができる。
【００５２】
本発明のカメラモジュールでは、上記固定部は、上記レンズ駆動部の底部を構成するベースを備えており、上記光透過基板は、上記撮像レンズとの対向面が、上記ベースに接着されていてもよい。
【００５３】
上記の発明によれば、光透過基板のおもて面が、ベース（レンズ駆動部の固定部）に接着されている。これにより、レンズ駆動部の組立後に、光透過基板をレンズ駆動部に接着することができる。このため、レンズ駆動部の組立中に、光透過基板を傷つけることはない。従って、レンズ駆動部の組立作業性がよくなる。
【００５４】
さらに、光透過基板の接着前に、レンズ駆動部を洗浄することができる。従って、レンズ駆動部の組立途中に発生したレンズ駆動に内在する異物を除去した後、光透過基板をレンズ駆動部に接着することができる。
【００５５】
本発明のカメラモジュールでは、上記撮像部は、上記撮像素子の受光部を覆う光透過基板を備えており、
上記撮像部の基準面が、上記光透過基板の表面であってもよい。
【００５６】
上記の発明によれば、レンズ駆動部が光学部を無限遠端に駆動させると、光学部の基準面が、センサカバーの表面に当接する。これにより、撮像素子の近傍に設けられた光透過基板の表面を撮像部の基準面として、無限遠端の撮像レンズの位置が規定される。このため、焦点距離の誤差は、光透過基板の厚さのばらつきと、レンズバレルに対する撮像レンズの取付け誤差のみとなる。従って、高精度に撮像レンズを取り付けることができる。
【００５７】
本発明のカメラモジュールでは、上記光学部の基準面と、撮像部の基準面またはレンズ駆動部の基準面との接触面の少なくとも一方の面に、衝撃吸収部材が設けられていてもよい。
【００５８】
上記の発明によれば、光学部と、撮像部またはレンズ駆動部との接触部に、衝撃吸収部材が設けられている。これにより、光学部の基準面と、レンズ駆動部の基準面または撮像部との基準面との当接することによって生じる衝撃を、衝撃吸収部材によって、吸収することができる。従って、衝撃による、光学部、撮像部、およびレンズ駆動部の破損を防止することができる。
【００５９】
本発明のカメラモジュールでは、上記レンズ駆動部は、上記可動部を光軸方向に可動に支持する弾性体を備える構成であってもよい。
【００６０】
上記の発明によれば、弾性体を備えているため、弾性体の弾性力によって、レンズ駆動部の可動部を、光軸方向に補助的に可動に支持することができる。
【００６１】
本発明のカメラモジュールでは、上記光学部の外側面およびレンズ駆動部の内側面の少なくとも一方に、凹部が形成されていてもよい。
【００６２】
上記の発明によれば、光学部の外側面およびレンズ駆動部の内側面の少なくとも一方に、凹部が形成されている。このため、レンズ駆動部の可動部と、レンズバレルとの接着に、低粘度の接着剤を用いても、各側面に沿って流れた接着剤を、凹部に溜めることができる。つまり、この凹部は、接着溜まりとなる溝になる。従って、接着剤が、撮像部に漏れ出すのを防ぐことができる。なお、凹部は、ねじ山であってもよい。
【００６３】
本発明のカメラモジュールでは、上記無限遠端は、オーバーインフに設定されていることが好ましい。
【００６４】
上記の発明によれば、無限遠端がオーバーインフに設定されている。このため、レンズバレルの位置決めに若干の誤差を有する場合、または、各部材が公差を有する場合等であっても、レンズバレルを駆動することにより、無限遠端までの間に、その誤差や公差を吸収することができる。
【００６５】
つまり、「無限遠端がオーバーインフに設定されている」とは、無限遠端が、レンズバレルの位置決め誤差または各部材の公差等を考慮しない場合の、無限遠の光学的な合焦位置（最適位置）よりも、さらに遠方（撮像素子側）に、撮像レンズが位置するように、撮像レンズおよびレンズバレルの位置関係が設定されていると言い換えることができる。
【００６６】
従って、本願明細書において、「無限遠端」は、撮像レンズの位置あわせ誤差および各部材の製造時に生じる寸法公差も考慮して設定されたものも、それらを考慮せずに設定されたものも含まれる。つまり、「無限遠端」が、その誤差または公差を考慮しない場合の光学的な無限遠の最適位置ではない可能性もある。
【００６７】
本発明のレンズの位置決め方法は、上記の課題を解決するために、撮像レンズと撮像レンズを保持するレンズバレルとを有する光学部と、
無限遠端からマクロ端まで、撮像レンズを光軸方向に駆動するレンズ駆動部と、
撮像レンズを通して入射された光を電気信号に変換する撮像素子を有する撮像部とを備え、上記レンズ駆動部は、上記光学部を内部に保持し、光軸方向に移動できる可動部と、撮像レンズの駆動時に位置が変動しない固定部とを備えたカメラモジュールにおける、撮像レンズの光軸方向の位置を規定するレンズの位置決め方法であって、
上記光学部の基準面と、上記固定部に形成されたレンズ駆動部の基準面または撮像部の基準面とを互いに当接させることによって、撮像レンズの無限遠端を規定することを特徴とすることを特徴としている。
【００６８】
上記の発明によれば、光学部の基準面と、レンズ駆動部の基準面または撮像部との基準面とを互いに当接させることによって、無限遠端の撮像レンズの位置が規定される。ここで、レンズ駆動部の固定部、および、撮像部は、撮像レンズを駆動させても位置が変動しない。つまり、光学部の基準面と、位置が固定されたレンズ駆動部の基準面または撮像部の基準面との面接触によって、無限遠端の撮像レンズの位置が規定される。これにより、レンズ駆動部の固定部から可動部に至る間に累積される撮像レンズの取付け誤差をなくすことができる。このため、無限遠端における、撮像素子から撮像レンズまでの距離（いわゆる焦点距離）が、確実に規定される。従って、初期フォーカス調整が不要な程度にまで、高精度に撮像レンズを取り付けることができる。
【００６９】
本発明のレンズの位置決め方法では、上記撮像部は、上記撮像素子の少なくとも一部を覆うと共に、表面にレンズ駆動部が搭載されるセンサカバーを備えており、
上記撮像部の基準面が、センサカバーの表面であってもよい。
【００７０】
上記の発明によれば、光学部の基準面が、センサカバーの表面に当接することによって、無限遠端の撮像レンズの位置が規定される。このため、焦点距離の誤差は、センサカバーの厚さのばらつきと、レンズバレルに対する撮像レンズの取付け誤差のみとなる。従って、高精度に撮像レンズを取り付けることができる。
【００７１】
本発明のレンズの位置決め方法では、上記固定部は、上記レンズ駆動部の底部を構成するベースを備えており、上記ベースとセンサカバーとが、一体となっており、上記レンズ駆動部の基準面が、上記センサカバーの表面であってもよい。
【００７２】
上記の発明によれば、撮像部のセンサカバーと、レンズ駆動部のベースとが、同一部材から形成されている。これにより、部品点数を削減することができる。さらに、上記の発明によれば、センサカバーに、撮像部の基準面に加えて、レンズ駆動部の基準面も形成されている。これにより、レンズ駆動部が光学部を無限遠端に駆動させると、光学部の基準面が、センサカバーの表面に当接する。このセンサカバーの表面は、撮像部の基準面と、レンズ駆動部の基準面とを兼ねている。そして、センサカバーの表面を撮像部の基準面として、無限遠端の撮像レンズの位置が規定される。このため、焦点距離の誤差は、センサカバーの厚さのばらつきと、レンズバレルに対する撮像レンズの取付け誤差のみとなる。従って、高精度に撮像レンズを取り付けることができる。
【００７３】
本発明のレンズの位置決め方法では、上記センサカバーの裏面が、上記撮像素子の受光面に接していることが好ましい。
【００７４】
上記の発明によれば、センサカバーの裏面（下面）が、焦点距離の起点となる撮像素子の受光面に接している。一方、センサカバーの上面は、撮像部の基準面となっている。このため、焦点距離の誤差は、センサカバーの厚さのばらつきと、レンズバレルに対する撮像レンズの取付け誤差のみとなる。従って、非常に高精度に撮像レンズを取り付けることができる。
【００７５】
本発明のレンズの位置決め方法では、上記撮像部は、上記撮像素子の受光部を覆う光透過基板を備えており、
上記撮像部の基準面が、上記光透過基板の表面であってもよい。
【００７６】
上記の発明によれば、光学部の基準面が、センサカバーの表面に当接することによって、無限遠端の撮像レンズの位置が規定される。このため、焦点距離の誤差は、光透過基板の厚さのばらつきと、レンズバレルに対する撮像レンズの取付け誤差のみとなる。従って、高精度に撮像レンズを取り付けることができる。
【００７７】
本発明のレンズの位置決め方法では、上記撮像部の基準面が、上記撮像素子の受光面であってもよい。
【００７８】
上記の発明によれば、光学部の基準面が、撮像素子の受光面（受光部が形成された面）に当接することによって、無限遠端の撮像レンズの位置が規定される。このため、焦点距離の誤差は、レンズバレルに対する撮像レンズの取付け誤差のみとなる。従って、より高精度に撮像レンズを取り付けることができる。
【００７９】
本発明のレンズの位置決め方法では、上記撮像素子は、基板上に実装されており、
上記撮像部の基準面は、上記基板の撮像素子実装面であってもよい。
【００８０】
上記の発明によれば、光学部の基準面が、基板の撮像素子実装面に当接することによって、無限遠端の撮像レンズの位置が規定される。つまり、撮像素子が実装される基板表面を撮像部の基準面として、無限遠端の撮像レンズの位置が規定される。このため、焦点距離の誤差は、撮像素子の厚さばらつきと、レンズバレルに対する撮像レンズの取付け誤差のみとなる。従って、高精度に撮像レンズを取り付けることができる。
【００８１】
本発明のレンズの位置決め方法では、上記光学部の基準面を、上記レンズ駆動部の基準面または撮像部の基準面との当接方向に加圧しながら、上記光学部をレンズ駆動部に固定されていてもよい。
【００８２】
上記の発明によれば、上記光学部の基準面を、上記レンズ駆動部の基準面または撮像部の基準面との当接方向に加圧するため、光学部をレンズ駆動部に確実に固定することができる。
【００８３】
本発明のレンズの位置決め方法は、上記の課題を解決するために、撮像レンズと撮像レンズを保持するレンズバレルとを有する光学部と、
無限遠端からマクロ端まで、撮像レンズを光軸方向に駆動するレンズ駆動部と、
撮像レンズを通して入射された光を電気信号に変換する撮像素子を有する撮像部とを備え、上記レンズ駆動部は、上記光学部を内部に保持し、光軸方向に移動できる可動部と、撮像レンズの駆動時に位置が変動しない固定部とを備えたカメラモジュールにおける、撮像レンズの光軸方向の位置を規定するレンズの位置決め方法であって、
上記光学部の基準面に対して撮像レンズの光軸方向位置を調整する工程と、
上記光学部の基準面と、上記固定部に形成されたレンズ駆動部の基準面または撮像部の基準面とを当接させる工程と、
各基準面を当接させた状態でレンズバレルをレンズ駆動部に対して固定する工程とを含むことを特徴としている。
【００８４】
上記の発明によれば、光学部の基準面と、レンズ駆動部の基準面または撮像部との基準面とを互いに当接させることによって、無限遠端の撮像レンズの位置が規定される。ここで、レンズ駆動部の固定部、および、撮像部は、撮像レンズを駆動させても位置が変動しない。つまり、光学部の基準面と、位置が固定されたレンズ駆動部の基準面または撮像部の基準面との面接触によって、無限遠端の撮像レンズの位置が規定される。これにより、レンズ駆動部の固定部から可動部に至る間に累積される撮像レンズの取付け誤差をなくすことができる。このため、無限遠端における、撮像素子から撮像レンズまでの距離（いわゆる焦点距離）が、確実に規定される。従って、初期フォーカス調整が不要な程度にまで、高精度に撮像レンズを取り付けることができる。
【００８５】
本発明のレンズの位置決め方法では、前記光学部の基準面は、撮像レンズのコバ部に取り付けられたリテナーであり、
リテナーの厚さを選択することにより、レンズバレルの基準面に対する光軸方向位置を調整してもよい。
【００８６】
上記の発明によれば、焦点距離が最適となる厚さのリテナーを選択することによって、焦点距離を調整することが可能となる。従って、厚さにばらつきのあるリテナーの中から、最適な厚さのリテナーを選択して、高精度に撮像レンズを取り付けることができる。
【００８７】
本発明の電子機器は、前記いずれかのカメラモジュールを備えている。従って、撮像レンズが高精度に位置決めされたカメラモジュールを備えた電子機器を提供することができる。この電子機器としては、例えば、カメラ付き携帯電話，ディジタルスチルカメラ，セキュリティカメラなどの撮像用機器等が挙げられる。
【発明の効果】
【００８８】
以上のように、本発明のカメラモジュールは、上記レンズ駆動部が、上記撮像レンズを無限遠端に駆動させたとき、光学部の基準面と、上記レンズ駆動部の基準面または撮像部の基準面とが互いに当接する構成である。従って、初期フォーカス調整が不要な程度にまで、高精度に撮像レンズを取り付けることができるという効果を奏する。それゆえ、撮像レンズが高精度に位置決めされたカメラモジュールを実現することができるという効果を奏する。
【図面の簡単な説明】
【００８９】
【図１】本発明のカメラモジュールを示す斜視図である。
【図２】図１のカメラモジュールのＡ−Ａ矢視断面図である。
【図３】図１のカメラモジュールの光学部および撮像部を示す斜視図である。
【図４】図２のカメラモジュールのＢ−Ｂ矢視断面図である。
【図５】図１のカメラモジュールの光学部および撮像部の別の例を示す斜視図である。
【図６】本発明の別のカメラモジュールの中央断面図である。
【図７】本発明の別のカメラモジュールの中央断面図である。
【図８】本発明の別のカメラモジュールの中央断面図である。
【図９】本発明の別のカメラモジュールの中央断面図である。
【図１０】本発明の別のカメラモジュールの中央断面図である。
【図１１】本発明の別のカメラモジュールの中央断面図である。
【図１２】本発明のカメラモジュールにおけるレンズの位置決め方法を説明する図である。
【図１３】本発明のカメラモジュールにおける別のレンズの位置決め方法を説明する図である。
【図１４】本発明のレンズの位置決め方法を示すフローチャートである。
【図１５】特許文献２のカメラモジュールの分解斜視図である。
【図１６】本発明の別のカメラモジュールの中央断面図である。
【図１７】本発明の別のカメラモジュールの中央断面図である。
【図１８】本発明の別のカメラモジュールの中央断面図である。
【図１９】本発明の別のカメラモジュールの中央断面図である。
【図２０】本発明の別のカメラモジュールの中央断面図である。
【発明を実施するための形態】
【００９０】
以下、本発明の実施の形態について、図１〜図１４，図１６〜図２０に基づいて説明する。
【００９１】
図１は、本実施形態のカメラモジュールの斜視図である。カメラモジュール１００は、撮像光学系である光学部１、光学部１を駆動するレンズ駆動装置（レンズ駆動部）２、光学部１を経由した光の光電変換を行う撮像部３とから構成される。光学部１は、レンズ駆動装置２の内部に保持されている。撮像部３は、センサ部４と、センサ部４が実装される基板５とから構成される。カメラモジュール１００は、基板５上に、センサ部４、レンズ駆動装置２が、この順に光軸方向に積層された構成である。以下の説明では、便宜上、光学部１側を上方、撮像部３側を下方とする。
【００９２】
まず、図２に基づき、カメラモジュール１００の全体構造について説明する。図２は、図１のカメラモジュール１００のＡ−Ａ矢視断面図であり、カメラモジュール１００の中央部を光軸方向に切断した断面図である。
【００９３】
光学部１は、被写体像を形成する撮像光学系であり、外部の光を撮像部３のセンサ部４へ導く。光学部１は、複数（図２では３枚）の撮像レンズ６と、撮像レンズ６を保持するレンズバレル７とから構成される。レンズバレル７は、レンズ駆動装置２に固定されている。撮像レンズ６の光軸は、レンズバレル７の軸心と一致している。
【００９４】
レンズ駆動装置２は、電磁力によって、光学部１を光軸方向に駆動する。すなわち、レンズ駆動装置２は、無限遠端からマクロ端の間で、撮像レンズ６を上下動させる。これにより、カメラモジュール１００が、オートフォーカス機能を発揮する。カメラモジュール１００には、ＶＣＭタイプのレンズ駆動装置２が搭載されている。
【００９５】
レンズ駆動装置２は、撮像レンズ６の駆動時に、光軸方向に移動して光学部１（撮像レンズ６）を光軸方向に移動させる可動部と、撮像レンズ６の駆動時に位置が変動しない固定部とを備えている。可動部は、固定部の内部に収容されている。可動部は、レンズホルダ８およびコイル１０から構成されており、固定部は、ヨーク１１，永久磁石１２，カバー１４，およびベース１５から構成されている。
【００９６】
具体的には、レンズ駆動装置２は、レンズバレル７を内部に保持するレンズホルダ８が、ベース１５，ヨーク１１，およびカバー１４により形成された空間内に、収容された構成となっている。
【００９７】
レンズホルダ８は、撮像レンズ６を保持したレンズバレル７を、内部に保持している。レンズバレル７およびレンズホルダ８は、いずれも中空（円筒）形状の部材である。カメラモジュール１００では、レンズバレル７の外側面、および、レンズホルダ８の内側面には、ねじ切りが施されておらず、平坦である。つまり、レンズバレル７およびレンズホルダ８の互いの接触面には、ねじ山が形成されていない。
【００９８】
レンズホルダ８の内径は、レンズバレル７の外径よりもがやや大きく、レンズホルダ８の中央に、レンズバレル７が装着される。レンズホルダ８の軸心は、撮像レンズ６の光軸およびレンズバレルの軸心に一致している。レンズホルダ８とレンズバレル７との固定には接着剤２４が用いられる。接着剤２４としては、例えば、熱硬化型のＵＶ接着剤、または、嫌気性のＵＶ接着剤を用いるのが好ましい。これにより、レンズホルダ８とレンズバレル７との隙間に入り込んだ接着剤２４は、熱硬化あるいは嫌気硬化させることができる。一方、表面に盛り上がってフィレットを形成している接着剤２４は、ＵＶ硬化させることが可能となる。なお、接着剤２４を塗布するため、レンズホルダ８およびレンズバレル７の一部に、接着剤溜まりとなる溝を設けておいてもよい。本発明では、レンズホルダ８にレンズバレル７をねじ込む必要がないため、両者に形成された溝の位置関係がずれることがなく、より広い接着剤溜まりを形成することが可能となる。
【００９９】
レンズホルダ８の外周端部（フランジ部）には、コイル１０が固定されている。コイル１０は、レンズホルダ８の終端部（底部）から、光入射側（後述の開口１３側）に延設されている。
【０１００】
ベース１５は、レンズ駆動装置２の底部を構成しており、ベース１５の裏面にセンサ部４が設けられる。ベース１５の中央部には、光路を確保するために開口１６が形成されている。
【０１０１】
ヨーク１１は、筒状の部材であり、レンズ駆動装置２の側面部を構成している。ヨーク１１は、内部に可動部を収容する。ヨーク１１はベース１５上に固定されている。本実施形態では、ヨーク１１の上方に、カバー１４が設けられている。カバー１４は、レンズ駆動装置２の上部（天面）を構成している。カバー１４の中央部には、光路を確保するために開口１３が形成されている。なお、ヨーク１１自体が、カバーの役割を果たすことで、カバー１４を省略してもかまわない。この場合の開口１３は、ヨーク１１に形成される。
【０１０２】
ヨーク１１の内側面には、コイル１０と対向するように、永久磁石１２からなる磁気回路が配置されている。
【０１０３】
レンズ駆動装置２は、コイル１０と永久磁石１２とにより発生させた電磁力により、撮像レンズ６を光軸方向に駆動する。具体的には、本実施形態では、永久磁石１２によって形成される磁場中のコイル１０に電流を流すことで発生する力によって、撮像レンズ６（レンズホルダ８）を光軸方向に駆動することが可能となる。
【０１０４】
また、本実施形態のレンズ駆動装置２では、レンズホルダ８の上下面（天面および底面）には、板ばね９ａ，９ｂが設けられている。板ばね９ａ，９ｂは、レンズホルダ８を、光軸方向に押圧する。つまり、板ばね９ａ，９ｂは、弾性力により、補助的にレンズホルダ８を光軸方向に可動に支持している。板ばね９ａ，９ｂは、渦巻状のパターンを有している。本実施形態では、板ばね９ａ，９ｂは、一端がヨーク１１またはベース１５に、他端がレンズホルダ８に固定されている。しかし、板ばね９ａ，９ｂは、一端が可動部に、他端が固定部に固定されていればよい。
【０１０５】
なお、図２のように、カメラモジュール１００の組立状態では、レンズホルダ８の底面に形成された突起１９が、ベース１５に当接しつつ、板ばね９ａ，９ｂの弾性力により、レンズホルダ８は下方向に与圧がかけられている。
【０１０６】
さらに、レンズ駆動装置２では、ベース１５の上面（レンズホルダ８の底面との対向面）の、永久磁石１２およびコイル１０の直下近傍に、溝１７が形成されており、溝１７内には粘着性のダストトラップ剤１８が塗布されている。ダストトラップ剤１８は、ベース１５の上面に形成されていればよいが、溝１７内に塗布されていることがより好ましい。これにより、ベース１５上に移動した異物を、ダストトラップ剤１８によって捕捉することができる。従って、光出射側の開口１６から異物が出ていくのを確実に防ぐことができる。さらに、溝１７にダストトラップ剤１８が塗布されていれば、溝１７に異物を滞留させることができる。つまり、上記の隙間を経由してベース１５上に落下した異物を、落下直後に、溝１７に滞留させることができる。
【０１０７】
すなわち、レンズ駆動装置２では、ベース１５上のコイル１０および永久磁石１２の直下近傍にダストトラップ剤１８が塗布されている。このため、コイル１０と永久磁石１２との間の隙間を通ってきた異物がそのまま落下すれば、このダストトラップ剤１８上に落下することになる。これにより、ダストトラップ剤１８が、異物を捕捉する。
【０１０８】
なお、ダストトラップ剤１８は、粘着性を有するものであれば、特に限定されるものではないが、例えば、半固体状（または固体に近い状態）の油脂や樹脂を適用することができる。例えば、グリースが好適である。グリースは、半固体状または液体に近い、油脂の一種であり、例えば、半固体状（または固体に近い状態）、または、ペースト状の潤滑剤から構成することができる。グリースは、例えば、二硫化モリブデン系潤滑剤，白色系潤滑剤，シリコーン系潤滑剤，パーフルオロポリエーテル系潤滑剤などを用いることができる。また、グリースは、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【０１０９】
次に、撮像部３は、レンズ駆動装置２の底面（ベース１５の底面）側に設けられており、光学部１から入射された入射光を光電変換する。撮像部３は、センサ部４と、センサ部４が実装される基板５とから構成されている。センサ部４は、ガラス基板２０、センサチップ２１、センサカバー２２から構成され、これらが基板５上に固定されている。
【０１１０】
センサチップ２１は、レンズ駆動装置２で形成された被写体像を、電気信号に変換する撮像素子である。つまり、レンズ駆動装置２の撮像レンズ６を通して受光した光信号を電気信号に変換するセンサデバイスである。センサチップ２１は、例えば、ＣＣＤまたはＣＭＯＳセンサＩＣである。センサチップ２１の表面（上面）には、複数の画素がマトリクス状に配置された受光部（図示せず）が形成されている。この受光部は、レンズ駆動装置２から入射される光を結像する領域であり、画素エリアとも言い換えられる。
【０１１１】
センサチップ２１は、この受光部（画素エリア）に結像された被写体像を電気信号に変換して、アナログの画像信号として出力する。つまり、この受光部で、光電変換が行われる。センサチップ２１の動作は、図示しないＤＳＰで制御され、センサチップ２１で生成された画像信号は、ＤＳＰで処理される。
【０１１２】
センサカバー２２は、センサチップ２１の一部を覆うように構成されている。センサカバー２２は、センサチップ２１の受光部を避けて、センサチップ２１を覆っている。センサカバー２２には、光路を確保するために開口２２ａが形成されている。開口２２ａ面積は、センサチップ２１の受光部の面積およびガラス基板２０表面の面積よりも大きい。このため、開口２２ａ内に、センサチップ２１の受光部およびガラス基板２０が配置される。開口２２ａは、撮像レンズ６を介して入射した光を、センサチップ２１の受光部に透過させる光透過領域となる。
【０１１３】
センサカバー２２は、センサチップ２１の受光面（上面）に対して、センサカバー２２の上面までの距離が高精度に管理されている。センサカバー２２の下側の基準面（裏面）は、センサチップ２１の上に載る搭載面であり、基板５側の面と基板５との間には隙間が形成されていてもかまわない。
【０１１４】
ガラス基板２０は、センサチップ２１の受光部を覆っており、透光性部材から構成されている。なお、本実施形態では、ガラス基板２０の表面に、赤外線遮断膜（ＩＲカット膜）が形成されている。このため、ガラス基板２０は、赤外線を遮断する機能も備えている。ガラス基板２０は、センサカバー２２に対して取り付けても良いし、センサチップ２１上に接着剤を介して重ねて固定しても良い。図２では、ガラス基板２０は、センサカバー２２に対して取り付けられており、かつ、センサチップ２１から離して取り付けられている。このようにセンサチップ２１からの距離を離した方が、ガラス基板２０上に付着した異物の影響度（センサへの映りこみ）が小さくなるので望ましい。
【０１１５】
基板５は、図示しないパターニングされた配線を有する。この配線によって、基板５とセンサ部４（センサチップ２１）とが互いに電気的に接続される。基板５は、例えば、プリント基板，またはセラミック基板などである。
【０１１６】
このように、撮像部３では、センサチップ２１に入射した光信号が光電変換される。そして、変換された電気信号が基板５を通って、図示しないカメラモジュールの制御回路等に入力され、画像信号として取り出される。
【０１１７】
カメラモジュール１００は、レンズ駆動装置２を備えるため、オートフォーカス機能を有している。このため、撮像レンズ６の焦点距離（センサチップ２１の受光面から撮像レンズ６までの距離）を高精度に規定することは、特に重要である。
【０１１８】
そこで、カメラモジュール１００では、図２のように、光学部１の基準面と、撮像部３の基準面とが互いに当接する位置が、撮像レンズ６の無限遠端として規定されている。具体的には、レンズ駆動装置２の可動部が無限遠側（図の下方向）の基準（ＩＮＦ側メカ端）に位置する状態で、レンズバレル７の底面（光学部１の基準面）が、センサカバー２２に当接するように、撮像レンズ６がレンズホルダ８に固定されている。
【０１１９】
すなわち、図２のように、レンズ駆動装置２が光学部１を無限遠端（ＩＮＦ側メカ端）に駆動すると、レンズバレル７の底面が、センサカバー２２の表面に当接する。つまり、カメラモジュール１００では、光学部１の基準面がレンズバレル７の底面であり、撮像部３の基準面が、センサカバー２２の表面である。また、後述のように、無限遠端（ＩＮＦ側メカ端）では、レンズバレル７の底部は、レンズ駆動装置２のベース１５の開口１６を貫通して、センサカバー２２に当接している。しかも、センサカバー２２の裏面（下面）は、焦点距離の起点となるセンサチップ２１の受光面に当接している。これにより、焦点距離の誤差は、センサカバー２２の厚さ（センサチップ２１との接触面＜下側基準面＞からレンズバレル７との当接面＜撮像部３の基準面＞までの厚さ）のばらつき、レンズバレル７の基準面（底面）に対する撮像レンズ６の取付け位置のばらつきのみとなる。従って、非常に高精度に、撮像レンズ６を取り付けることが可能となる。それゆえ、撮像レンズ６の初期フォーカス調整が不要となり、ＩＮＦ側の合焦位置を探す必要はない。
【０１２０】
また、無限遠端の基準は、レンズバレル７の底面と、センサカバー２２の表面との面接触としているため、無限遠端側には、焦点距離の誤差を解消するために、余分なストロークを設ける必要もない。つまり、このような無限遠端（ＩＮＦ側位置）を基準として、マクロ側に繰り出すためのストロークさえあれば良いことになる。それゆえ、必要ストロークの縮小化が図れる。
【０１２１】
なお、無限遠端（ＩＮＦメカ端）は、オーバーインフ気味に設定されていてもよい。すなわち、カメラモジュール１００では、レンズバレル７の位置決め誤差または各部材の公差等を有する場合がある。無限遠端は、オーバーインフに設定されていない場合、この誤差や公差は考慮されていない。つまり、無限遠端は、無限遠の光学的な最適位置（合焦位置）となる。
【０１２２】
一方、無限遠端がオーバーインフに設定されている場合、この誤差または公差を考慮される。すなわち、この場合の無限遠端は、無限遠端がオーバーインフに設定されていない場合よりも、遠方（センサチップ２１側）に設定される。このため、この誤差または公差が含まれていた場合でも、レンズバレル７を駆動することにより、無限遠端までの間に、その誤差や公差を吸収することができる。
【０１２３】
次に、レンズバレル７の形状、センサカバー２２とガラス基板２０との位置関係等について、図３、図４を用いてさらに詳細に説明する。図３は、図１のカメラモジュール１００における光学部１および撮像部３を示す斜視図である。図４は、図２のカメラモジュール１００のＢ−Ｂ矢視断面図であり、カメラモジュール１００のベース１５（センサカバー２２）を光軸（図中一点鎖線）に対して、垂直方向に切断した断面図である。なお、図４では、レンズ駆動装置２を省略している。
【０１２４】
図３のように、カメラモジュール１００では、レンズバレル７の底面の一部が除去されている。具体的には、無限遠端において、レンズバレル７の底部は、開口２２ａの重なる部分が除去されており、開口２２ａ外の部分でセンサカバー２２に当接する。すなわち、レンズバレル７底部には、センサカバー２２に当接する突起部７ａ，７ｂと、レンズバレル７が除去されセンサカバー２２に当接しない凹形状の除去部とが形成される。このため、レンズバレル７の底面全体が、センサカバー２２に当接するわけではない。つまり、レンズバレル７は、光透過領域外でセンサカバー２２に当接する一方、光透過領域内では、当接しない。これにより、レンズバレル７の軽量化、不要な壁面を除くことによる光のケラレ防止が可能となる。
【０１２５】
また、図３のように、開口２２ａ内に配置されたガラス基板２０の上面は、センサカバー２２の上面よりも下方に位置している。このため、ガラス基板２０との干渉の心配はない。
【０１２６】
一方、図４のように、レンズバレル７のセンサカバー２２との当接面は、突起部７ａの底面と、突起部７ｂの底面との２つに分離されている。このため、センサカバー２２の表面に接触することによる位置合わせ精度が出しやすくなっている。また、図４からわかるように、レンズバレル７の突起部７ａ，７ｂは、センサカバー２２に当接しており、平面的にもガラス基板２０との干渉はない。
【０１２７】
ここで、撮像レンズ６から入射した光は、若干拡散しながらセンサチップ２１に入射する。このため、センサカバー２２に当接させるために、レンズバレル７の底部（足の部分）が長いと、レンズバレル７の内面に光が当たってしまう。その結果、ケラレが発生するおそれがある。図４のように、撮像に必要なセンサチップ２１の受光部（光入射領域）２５は矩形状であり、光学部はこの受光部２５をカバーするように設計されている。このため、辺方向には若干の余裕がある。そこで、受光部２５の辺方向にレンズバレル７の突起部７ａ，７ｂを設け、万一、突起部７ａ，７ｂの内径に光が当たってケラレが生じても、撮像性能には影響しないようになっている。
【０１２８】
一方、図５のように、開口２２ａ内に配置されたガラス基板２０の上面は、センサカバー２２から、撮像レンズ６側（上方）に、突出していてもよい。上述のように、ガラス基板２０は、センサチップ２１に対して距離を離して配置した方が、異物に対して強くなる。そのため、センサチップ２１から離間して、センサカバー２２上にガラス基板２０を設置する構成が望ましい。この場合には、センサカバー２２の上面よりもガラス基板２０の上面の方が突出するケースも考えられる。この場合、レンズバレル７を除去してガラス基板２０の突出量よりも大きい空間（凹形状）を設けておく。これにより、レンズバレル７が、ガラス基板２０が接触しない。従って、センサカバー２２の表面を確実に、レンズバレル７の底面との当接面とすることが可能となる。しかも、レンズバレル７とガラス基板２０とが衝突することによるガラス基板２０の破損の危険性も低減できる。
【０１２９】
以上のように、カメラモジュール１００では、レンズ駆動装置２が光学部１を無限遠端に駆動させると、レンズバレル７の底面が、撮像レンズ６を駆動させても位置が変動しないセンサカバー２２の表面に当接する。つまり、レンズ駆動装置２の搭載面であるセンサカバー２２の表面を撮像部３の基準面として、無限遠端の撮像レンズ６の位置が規定される。これにより、レンズ駆動装置２の固定部から可動部に至る間に累積される、撮像レンズ６の取付け誤差をなくすことができる。従って、初期フォーカス調整が不要な程度にまで、高精度に撮像レンズ６を取り付けることができる。
【０１３０】
本実施形態のカメラモジュール１００は、以下のような構成とすることも可能である。図６〜図１１および図１６〜図２０は、別のカメラモジュール１０１〜１０６および１０７〜１１１の断面図である。カメラモジュール１０１〜１１１では、無限遠端の撮像レンズ６の位置決め方式が、異なる。以下では、このようなカメラモジュール１００との相違点を中心に説明する。
【０１３１】
図１９のカメラモジュール１１０は、ベース１５とセンサカバー２２とが、同一部材から形成され、一体となっている。すなわち、センサカバー２２が、レンズ駆動装置２のベース１５を兼ねている。このように、センサカバー２２とベース１５とを共通の部材とすることにより、部品点数を削減でき、低コスト化が図れる。また、カメラモジュール１１０では、センサカバー２２に、撮像部３の基準面に加えて、レンズ駆動装置２の基準面も形成されている。すなわち、無限遠端において、レンズバレル７の底面およびレンズホルダ８の底面の両方が、センサカバー２２の上面に当接している。また、センサカバー２２の表面を撮像部３の基準面として、無限遠端の撮像レンズ６の位置が規定される。これにより、焦点距離の誤差は、センサカバー２２の厚さのばらつきと、レンズバレル７に対する撮像レンズ６の取付け誤差のみとなる。つまり、レンズ駆動装置２の固定部から可動部に至る間に累積される、撮像レンズ６の取付け誤差をなくすことができる。従って、初期フォーカス調整が不要な程度にまで、高精度に撮像レンズ６を取り付けることができる。
【０１３２】
一方、図２０のカメラモジュール１１１も、図１９のカメラモジュール１１０と同様にベース１５とセンサカバー２２とが、一体となっている。ただし、カメラモジュール１１１では、ガラス基板２０の撮像レンズ６との対向面が、センサカバー２２と一体となったベース１５に接着されている。これにより、レンズ駆動装置２の組立後に、ガラス基板２０をベース１５（センサカバー２２）に接着することができる。このため、レンズ駆動装置２の組立中に、ガラス基板２０を傷つけることはない。従って、レンズ駆動装置２の組立作業性がよくなる。
【０１３３】
さらに、ガラス基板２０の接着前に、レンズ駆動装置２を洗浄することができる。従って、レンズ駆動装置２の組立途中に発生したレンズ駆動装置２に内在する異物を除去した後、ガラス基板２０をベース１５に接着することができる。
【０１３４】
次に、図６のカメラモジュール１０１は、撮像レンズ６のコバ部６ａに形成されたリテナー２６の底面が、センサカバー２２の表面に当接することによって、無限遠端の撮像レンズ６の位置が規定される。
【０１３５】
リテナー２６は、撮像レンズ６のコバ部６ａから、レンズバレル７の側面に沿って下方に延びている。リテナー２６は、レンズバレル７にはめ込まれており、レンズバレル７を越えて、センサカバー２２まで延びている。
【０１３６】
リテナー２６は本来、レンズバレル７内にはめ込んだ撮像レンズ６を押さえ込んで固定するための部材である。そして、リテナー２６は、レンズバレル７に接着固定されることによって、撮像レンズ６を固定しながら、レンズバレル７として一体的に駆動される。
【０１３７】
従来のリテナーは、レンズバレル内に収まっている。これに対し、本実施形態のカメラモジュール１０１では、レンズバレル７の高さ調整のため、リテナー２６が、レンズバレル７の底面を越えて、センサカバー２２と当接する位置まで延設されている。つまり、レンズバレル７の基準面（光学部１の基準面）が、リテナー２６の底面（下面）となる。
【０１３８】
なお、後述のように、レンズバレル７に対する撮像レンズ６の位置調整が必要な場合は、後述するが、リテナー２６の厚さを調節すれば良い。また、リテナー２６を、互いに異なる複数のキャビを用いて成型する場合、当然ながら寸法ばらつきが生じる。しかし、このばらつきの範囲内で、最適高さのリテナー２６を選別することで、撮像レンズ６高さ調整を行うことも可能である。
【０１３９】
なお、図６では、リテナー２６の下面全体を平坦にしているが、図１のレンズバレル７のように、リテナー２６の一部を除去してもよい。
【０１４０】
カメラモジュール１０１では、撮像レンズ６を無限遠端に駆動させると、撮像レンズ６のコバ部６ａに形成されたリテナー２６の底面が、センサカバー２２に当接する。これにより、焦点距離の基準となる撮像レンズ６自身を光学部１の基準面として、無限遠端の撮像レンズ６の位置が規定される。従って、より高精度に撮像レンズを取り付けることができる。
【０１４１】
なお、撮像レンズ６のコバ部６ａは、撮像に寄与しない部分であるため、実際の撮像には何ら影響を及ぼさない。
【０１４２】
次に、図７のカメラモジュール１０２は、撮像レンズ６のコバ部６ａの底面が、センサカバー２２に当接することによって、無限遠端の撮像レンズ６の位置が規定される。図７のカメラモジュール１０２は、図６のカメラモジュール１０１のリテナー２６が、コバ部６ａに変わった構成であるともいえる。
【０１４３】
すなわち、コバ部６ａは、レンズバレル７の高さ調整のため、レンズバレル７の底面を越えて、センサカバー２２と当接する位置まで延設されている。つまり、レンズバレル７の基準面（光学部１の基準面）が、コバ部６ａの底面（下面）となる。
【０１４４】
カメラモジュール１０２では、中間に介在するリテナーやレンズホルダ８がなく、撮像レンズ６そのものの精度で、撮像レンズ６の高さが決まる。このため、焦点距離の誤差ばらつきの累積が小さく、高精度に撮像レンズ６の高さ設定が可能となる。
【０１４５】
なお、図７では、コバ部６ａの下面全体を平坦にしているが、図１のレンズバレル７のように、コバ部６ａの一部を除去してもよい。
【０１４６】
次に、図８のカメラモジュール１０３は、レンズバレル７の底面が、ガラス基板２０に当接することによって、無限遠端の撮像レンズ６の位置が規定される。
【０１４７】
センサカバー２２の厚さの精度よりも、ガラス基板２０の厚さの精度が良い場合には、レンズバレル７の底面を、センサカバー２２に当接させるよりも、ガラス基板２０に当接させることが好ましい。これにより、より高い精度で、無限遠端の撮像レンズ６の位置を規定することができる。
【０１４８】
ここで、無限遠端では、レンズ駆動装置２のレンズホルダ８の底面がベース１５に当接するのと、レンズバレル７の底面がガラス基板２０に当接するのとは同時である。しかし、レンズバレル７がガラス基板２０に当接すると、衝撃によりガラス基板２０が破損する危険性がある。そこで、この衝撃を緩和するため、レンズバレル７の底面およびセンサカバー２２の表面の少なくとも一方の面、つまり、互いの接触面に衝撃吸収部材（図示せず）を設けても良い。これにより、衝撃吸収部材によって、吸収することができる。従って、衝撃による、ガラス基板２０の破損を防止することができる。なお、衝撃吸収部材によって、高さ精度が悪化してしまうのは良くないので、厚さ精度の高い衝撃吸収部材を用いることが必要である。衝撃吸収部材としては、特に限定されるものではないが、例えば、ゴム系の材料から構成することができる。例えば、衝撃吸収部材として、シリコーンゴムのシートなどを用いることができる。
【０１４９】
なお、図８ではレンズバレル７とガラス基板２０とが当接しているが、図６や図７と同様、リテナー２６や撮像レンズ６のコバ部６ａが、ガラス基板２０に当接してもかまわない。
【０１５０】
次に、図９のカメラモジュール１０４は、レンズバレル７の底面が、センサチップ２１の受光面に当接することによって、無限遠端の撮像レンズ６の位置が規定される。
【０１５１】
カメラモジュール１０４では、レンズバレル７の底面が、センサチップ２１の受光部を避けて、当接する。また、カメラモジュール１００と同様に、レンズバレル７に突起部７ａ，７ｂを設け、部分的にセンサチップ２１に当接させている。一方、当接部分以外のセンサチップ２１は、センサカバー２２やガラス基板２０により保護されている。
【０１５２】
センサチップ２１に直接当接させることで、焦点距離の誤差ばらつきはレンズバレル７のみとなり、最も精度の高いレンズ固定が可能となる。
【０１５３】
なお、図９ではレンズバレル７とセンサチップ２１とが当接しているが、図６や図７と同様、リテナーやレンズコバ部が当接してもかまわない。特に、撮像レンズ６のコバ部６ａを、センサチップ２１に当接させると、撮像レンズ６が位置合わせ基準となるため、より高精度の位置合わせが可能となる。
【０１５４】
次に、図１０のカメラモジュール１０５は、レンズバレル７の底面が、基板５のセンサチップ２１の実装面に当接することによって、無限遠端の撮像レンズ６の位置が規定される。
【０１５５】
カメラモジュール１０５では、撮像レンズ６を無限遠端に駆動させると、レンズバレル７の底面が、基板５のセンサチップ２１の実装面に当接する。これにより、センサチップ２１が実装される基板５の表面を撮像部３の基準面として、無限遠端の撮像レンズ６の位置が規定される。また、この場合、焦点距離の誤差は、センサチップ２１の厚さばらつき、および、レンズバレル７の底面（光学部１の基準面）に対する撮像レンズ６の取付け位置のばらつきのみとなる。従って、高精度に撮像レンズを取り付けることができる。それゆえ、撮像レンズ６の初期フォーカス調整が不要となる。
【０１５６】
なお、図１０ではレンズバレル７と基板５とが当接しているが、図６や図７と同様、リテナーや撮像レンズ６のコバ部が当接してもかまわない。
【０１５７】
次に、図１１のカメラモジュール１０６は、レンズバレル７の底面が、レンズ駆動装置２のベース１５に当接することによって、無限遠端の撮像レンズ６の位置が規定される。つまり、カメラモジュール１０６では、レンズ駆動装置２の基準面が固定部に形成されている。
【０１５８】
カメラモジュール１０６では、焦点距離の誤差は、センサカバー２２の厚さばらつき、ベース１５の厚さばらつき、レンズバレル７の底面（光学部１の基準面）に対する撮像レンズ６の取付け位置のばらつきのみとなる。従って、非常に高精度に撮像レンズ６の取付けが可能になり、撮像レンズ６の初期フォーカス調整が不要となる。
【０１５９】
なお、図１１ではレンズバレル７とベース１５とが当接しているが、図６や図７と同様、リテナーや撮像レンズ６のコバ部が当接してもかまわない。
【０１６０】
次に、図１６のカメラモジュール１０７では、レンズホルダ８の内側面の一部に凹部３０が形成されている。レンズバレル７とレンズホルダ８との固定に用いる接着剤２４が低粘度の場合、接着剤２４が毛細管現象によってレンズバレル７とレンズホルダ８の隙間に流れ込む可能性がある。接着剤２４が、ガラス基板２０の表面にまで漏れ出すと、撮像性能にも影響を及ぼしかねない。しかし、凹部３０が形成されていると、凹部３０に余分な接着剤２４が溜まり、ガラス基板２０上まで漏れ出すことを防止できる。
【０１６１】
なお、凹部３０は、レンズホルダ８側に形成されている例で説明したが、レンズバレル７側に形成されていてもかまわない。すなわち、凹部３０は、レンズバレル７の外側面およびレンズホルダ８の内側面の少なくとも一方（レンズバレル７とレンズホルダ８との少なくとも一方の接触面）に形成されていればよい。
【０１６２】
次に、図１７のカメラモジュール１０８では、レンズホルダ８の内側面の一部に、ねじ山３１が形成されている。一方、レンズホルダ８の内側面には、ねじ山は形成されていない。レンズバレル７とレンズホルダ８との固定に用いる接着剤２４が低粘度の場合、接着剤２４が毛細管現象によってレンズバレル７とレンズホルダ８の隙間に流れ込む可能性がある。接着剤２４が、ガラス基板２０の表面にまで漏れ出すと、撮像性能にも影響を及ぼしかねない。しかし、ねじ山３１が形成されていると、ねじ山３１に余分な接着剤２４が溜まり、ガラス基板２０上まで漏れ出すことを防止できる。
【０１６３】
このように、図１７のカメラモジュール１０８は、図１６のカメラモジュール１０７の凹部３０に代えて、ねじ山３１が形成されている。このため、ねじ山３１に沿って接着剤２４が流れ込むため、接着剤２４が流れる距離を長くすることが可能となる。その結果、ガラス基板２０の表面にまで漏れ出すまでに、接着剤２４を硬化させることができる。また、すでにねじ山３１が形成された既存のレンズ駆動装置２をそのまま使うことも可能となる。
【０１６４】
なお、カメラモジュール１０８では、ねじ山３１が、レンズホルダ８の内側面に形成されている。しかし、ねじ山３１は、レンズバレル７の外側面に形成されていてもよい。この場合も同様に、ねじ山３１に余分な接着剤２４が溜まり、ガラス基板２０上まで漏れ出すことを防止できる。つまり、ねじ山３１は、レンズバレル７の外側面およびレンズホルダ８の内側面の一方に形成されていればよい。これにより、レンズバレル７およびレンズホルダ８の一方には、フォーカス調整用のねじ山を形成する必要がない。さらに、ねじ山を形成する場合に、ねじの形状の制御が不要となる。従って、レンズバレル７およびレンズホルダ８の製造が容易となる。
【０１６５】
次に、図１８のカメラモジュール１０９では、レンズホルダ８の内側面に、凹部３０とねじ山３１との両方が形成されている。レンズバレル７とレンズホルダ８との固定に用いる接着剤２４が低粘度の場合、接着剤２４が毛細管現象によってレンズバレル７とレンズホルダ８の隙間に流れ込む可能性がある。接着剤２４が、ガラス基板２０の表面にまで漏れ出すと、撮像性能にも影響を及ぼしかねない。しかし、ねじ山３１が形成されていると、ねじ山３１に沿って接着剤２４が流れ込むため、接着剤２４が流れる距離を長くすることが可能となる。その結果、ガラス基板２０の表面にまで漏れ出すまでに、接着剤２４を硬化させることができる。さらに、凹部３０が、ねじ山３１よりも、ガラス基板２０に近い位置に形成されている。このため、万一、ねじ山３１を越えて（ねじ山３１よりも下方に）接着剤２４が流れ出した場合でも、凹部３０で接着剤２４が溜まる。これにより、接着剤２４がガラス基板２０の表面にまで漏れ出すまでに、接着剤２４をより確実に硬化させることできる。このように、凹部３０は、ねじ山３１よりも、接着剤２４の注入場所から遠い位置に設ける方が望ましい。
【０１６６】
なお、図１８のカメラモジュール１０９では、凹部３０とねじ山３１とが、レンズホルダ８の内側面に形成されている。しかし、凹部３０とねじ山３１とは、レンズバレル７の外側面に形成されていてもよいし、レンズホルダ８の内側面とレンズバレル７の外側面とに分散させて形成されていてもかまわない。
【０１６７】
このようなカメラモジュール１００〜１１１における撮像レンズ６の位置決めは、撮像レンズ６の高さの調整および確認に応用することもできる。図１２および図１３は、カメラモジュールにおける撮像レンズの位置決め方法を説明するための図である。図１２は、図１２は、レンズバレル７の底面を、検査用センサ４０上に当接させた状態を示す図である。一方、図１３は、レンズバレル７のリテナー２６の下面を、検査用センサ４０上に当接させた状態を示す図である。
【０１６８】
検査用センサ４０は、撮像レンズ６の高さ調整用の検査治具（調整用治具）である。具体的には、検査用センサ４０は、設計センター値の厚さ（所定厚さ）を有するセンサチップ２１、センサカバー２２、ガラス基板２０等を用いて構成した標準センサである。図１２では、レンズバレル７の底面との当接面が、センサカバー２２の表面としている。しかし、上述のカメラモジュール１００〜１０６の形態に応じて、基板、センサチップ、ガラス基板、ベース等に当接する検査用センサを準備すれば良い。
【０１６９】
このような検査用センサ４０を用いて、センサチップ２１と撮像レンズ６の距離が所定の範囲内に入っているかどうかを、撮像画像等を見ながら確認する。これにより、焦点距離が、確実に規定される。従って、初期フォーカス調整が不要な程度にまで、高精度に撮像レンズ６を取り付けることができる。
【０１７０】
一方、図１３のように、リテナー２６の底面を、検査用センサ４０に当接する場合、同様に撮像画像等を見ながら、焦点距離が最適となる厚さのリテナー２６を選択する。これにより、リテナー２６の厚さにより高さを調整することによって、焦点距離を調整することが可能となる。従って、厚さにばらつきのあるリテナー２６の中から、最適な厚さのリテナー２６を選択してレンズバレル７に取り付けることにより、高精度に撮像レンズ６を取り付けることができる。
【０１７１】
図１４は、このような撮像レンズ６の位置決め方法（調整方法）における、レンズ取付け工程を示すフローチャートである。レンズ取付け工程は、あらかじめレンズバレル７の基準面に対して撮像レンズ６の光軸方向位置を調整する工程（Ｓ１）と、レンズバレル７の基準面をカメラモジュールの所定の固定基準面（図１２の場合、センサカバー２２の表面）に当接させる工程と、当接させた状態でレンズバレル７をレンズ駆動装置２の可動部（レンズホルダ８）に対して固定する工程とを含んでいる。
【０１７２】
具体的には、まず、図１２および図１３のように、適切な検査用センサ４０を用いて、所定の精度に撮像レンズ６の光軸方向の位置が調整されたレンズバレル７を組み立てる（Ｓ１）。次に、このレンズバレル７をレンズホルダ８に挿入して、所定の基準面どうし（光学部１の基準面と、撮像部３の基準面またはレンズ駆動装置２の基準面）とを当接させる。図１２の場合、レンズバレル７の底面と、センサカバー２２の表面とを当接させる。このとき、レンズバレル７に対して軽く圧力をかけ、基準面どうしの接触を確実にすることが望ましい。
【０１７３】
次に、圧力をかけた状態のまま、所定の位置に接着剤を注入し、レンズバレル７とレンズホルダ８とを固定する。これにより、レンズバレル７とレンズホルダ８とが接着され、撮像レンズ６の位置が固定される。これにより、初期フォーカス調整を行うことなく、高精度に撮像レンズ６の位置決めを行うことが可能となる。
【０１７４】
なお、上述の説明では、ＶＣＭ方式のレンズ駆動装置を備えたカメラモジュールについて説明した。これは、本発明が、ＶＣＭ方式のレンズ駆動装置のように、可動部をばねで支持するカメラモジュールにおいて、特に有効であるためである。しかし、ＶＣＭ方式のレンズ駆動装置に限定されるものではなく、他の方式（ステッピングモータを利用するタイプ、圧電素子を利用するタイプなど）のレンズ駆動装置を適用することもできる。
【０１７５】
なお、本発明は、以下のように表現することもできる。
【０１７６】
〔１〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールであって、
前記レンズ駆動装置の可動部分が無限遠側の基準に位置する状態において、前記レンズバレルの一部が前記撮像素子の少なくとも一部を覆うように設けられたセンサカバーに当接していることを特徴とするカメラモジュール。
【０１７７】
〔２〕上記〔１〕に記載のカメラモジュールにおいて、前記レンズバレルの前記センサカバーに当接する部分は、レンズバレルの一部に設けられた突起部であることを特徴とするカメラモジュール。
【０１７８】
〔３〕上記〔２〕に記載のカメラモジュールにおいて、前記レンズバレルの一部に設けられた突起部は、前記撮像素子に入射すべき光を遮断しない位置に設けられていることを特徴とするカメラモジュール。
【０１７９】
〔４〕上記〔１〕〜〔３〕のいずれか１項に記載のカメラモジュールにおいて、前記センサカバーには、前記撮像レンズから入射した光を前記撮像素子に導くための光透過領域が設けられており、前記光透過領域には必要な撮像光を透過する光透過基板が設けられていることを特徴とするカメラモジュール。
【０１８０】
〔５〕上記〔４〕に記載のカメラモジュールにおいて、前記レンズバレルが前記センサカバーに当接した状態において、前記レンズバレルと前記光透過基板とが当接しないようになっていることを特徴とするカメラモジュール。
【０１８１】
〔６〕上記〔５〕に記載のカメラモジュールにおいて、前記センサカバーの前記レンズバレルとの当接面は、前記光透過基板よりも突出していることを特徴とするカメラモジュール。
【０１８２】
〔７〕上記〔５〕に記載のカメラモジュールにおいて、前記レンズバレルの前記光透過基板との対向面には凹部が設けられていることを特徴とするカメラモジュール。
【０１８３】
〔８〕上記〔１〕〜〔７〕のいずれか１項に記載のカメラモジュールにおいて、前記レンズバレルの前記センサカバーとの当接部分は、レンズのコバ面の一部であることを特徴とするカメラモジュール。
【０１８４】
〔９〕上記〔１〕〜〔７〕のいずれか１項に記載のカメラモジュールにおいて、前記レンズバレルの前記センサカバーとの当接部分は、レンズのコバ面に取り付けられたリテナーであることを特徴とするカメラモジュール。
【０１８５】
〔１０〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子と、前記撮像レンズと前記撮像素子の間に必要な撮像光を透過する光透過基板を備えたカメラモジュールであって、
前記レンズ駆動装置の可動部分が無限遠側の基準に位置する状態において、前記レンズバレルの一部が前記光透過基板に当接していることを特徴とするカメラモジュール。
【０１８６】
〔１１〕上記〔１０〕に記載のカメラモジュールにおいて、前記レンズバレルの前記光透過基板に当接する部分は、レンズバレルの一部に設けられた突起部であることを特徴とするカメラモジュール。
【０１８７】
〔１２〕上記〔１１〕に記載のカメラモジュールにおいて、前記レンズバレルの一部に設けられた突起部は、前記撮像素子に入射すべき光を遮断しない位置に設けられていることを特徴とするカメラモジュール。
【０１８８】
〔１３〕上記〔１０〕〜〔１２〕のいずれか１項に記載のカメラモジュールにおいて、前記レンズバレルと前記光透過基板の当接面の少なくとも一方の面に衝撃吸収部材が設けられていることを特徴とするカメラモジュール。
【０１８９】
〔１４〕上記〔１０〕〜〔１３〕のいずれか１項に記載のカメラモジュールにおいて、前記レンズバレルの前記光透過基板との当接部分は、レンズのコバ面の一部であることを特徴とするカメラモジュール。
【０１９０】
〔１５〕上記〔１０〕〜〔１３〕のいずれか１項に記載のカメラモジュールにおいて、  前記レンズバレルの前記光透過基板との当接部分は、レンズのコバ面に取り付けられたリテナーであることを特徴とするカメラモジュール。
【０１９１】
〔１６〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールであって、
前記レンズ駆動装置の可動部分が無限遠側の基準に位置する状態において、前記レンズバレルの一部が前記撮像素子に当接していることを特徴とするカメラモジュール。
【０１９２】
〔１７〕上記〔１６〕に記載のカメラモジュールにおいて、前記レンズバレルの前記撮像素子に当接する部分は、レンズバレルの一部に設けられた突起部であることを特徴とするカメラモジュール。
【０１９３】
〔１８〕上記〔１７〕に記載のカメラモジュールにおいて、前記レンズバレルの一部に設けられた突起部は、前記撮像素子に入射すべき光を遮断しない位置に設けられていることを特徴とするカメラモジュール。
【０１９４】
〔１９〕上記〔１６〕〜〔１８〕のいずれか１項に記載のカメラモジュールにおいて、  前記撮像素子の前記レンズバレルとの当接部分は、カメラモジュールとしての撮像に寄与しない部分であることを特徴とするカメラモジュール。
【０１９５】
〔２０〕上記〔１６〕〜〔１９〕のいずれか１項に記載のカメラモジュールにおいて、前記撮像レンズと前記撮像素子の間に必要な撮像光を透過する光透過基板を備えていることを特徴とするカメラモジュール。
【０１９６】
〔２１〕上記〔２０〕に記載のカメラモジュールにおいて、前記レンズバレルが前記撮像素子に当接した状態において、前記レンズバレルと前記光透過基板とが当接しないようになっていることを特徴とするカメラモジュール。
【０１９７】
〔２２〕上記〔１６〕〜〔２１〕のいずれか１項に記載のカメラモジュールにおいて、前記レンズバレルの前記撮像素子との当接部分は、レンズのコバ面の一部であることを特徴とするカメラモジュール。
【０１９８】
〔２３〕上記〔１６〕〜〔２１〕のいずれか１項に記載のカメラモジュールにおいて、前記レンズバレルの前記撮像素子との当接部分は、レンズのコバ面に取り付けられたリテナーであることを特徴とするカメラモジュール。
【０１９９】
〔２４〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールであって、
前記レンズ駆動装置の可動部分が無限遠側の基準に位置する状態において、前記レンズバレルの一部が前記撮像素子を搭載している基板に当接していることを特徴とするカメラモジュール。
【０２００】
〔２５〕上記〔２４〕に記載のカメラモジュールにおいて、前記レンズバレルの前記基板に当接する部分は、レンズバレルの一部に設けられた突起部であることを特徴とするカメラモジュール。
【０２０１】
〔２６〕上記〔２５〕に記載のカメラモジュールにおいて、前記レンズバレルの一部に設けられた突起部は、前記撮像素子に入射すべき光を遮断しない位置に設けられていることを特徴とするカメラモジュール。
【０２０２】
〔２７〕上記〔２４〕〜〔２６〕のいずれか１項に記載のカメラモジュールにおいて、前記撮像レンズと前記撮像素子の間に必要な撮像光を透過する光透過基板を備えていることを特徴とする記載のカメラモジュール。
【０２０３】
〔２８〕上記〔２７〕に記載のカメラモジュールにおいて、前記レンズバレルが前記基板に当接した状態において、前記レンズバレルと前記光透過基板とが当接しないようになっていることを特徴とするカメラモジュール。
【０２０４】
〔２９〕上記〔２４〕〜〔２８〕のいずれか１項に記載のカメラモジュールにおいて、前記レンズバレルの前記基板との当接部分は、レンズのコバ面の一部であることを特徴とする記載のカメラモジュール。
【０２０５】
〔３０〕上記〔２４〕〜〔２８〕のいずれか１項に記載のカメラモジュールにおいて、前記レンズバレルの前記基板との当接部分は、レンズのコバ面に取り付けられたリテナーであることを特徴とするカメラモジュール。
【０２０６】
〔３１〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールであって、
前記レンズ駆動装置の可動部分が無限遠側の基準に位置する状態において、前記レンズバレルの一部が前記レンズ駆動装置の固定部分に当接していることを特徴とするカメラモジュール。
【０２０７】
〔３２〕上記〔３１〕に記載のカメラモジュールにおいて、前記レンズバレルの前記レンズ駆動装置の固定部分との当接部分は、レンズのコバ面の一部であることを特徴とするカメラモジュール。
【０２０８】
〔３３〕上記〔３１〕に記載のカメラモジュールにおいて、前記レンズバレルの前記レンズ駆動装置の固定部分との当接部分は、レンズのコバ面に取り付けられたリテナーであることを特徴とするカメラモジュール。
【０２０９】
〔３４〕上記〔１〕〜〔３３〕のいずれか１項に記載のカメラモジュールにおいて、前記レンズ駆動装置の可動部分は弾性体（板ばね９ａ，９ｂ）によって支持されていることを特徴とするカメラモジュール。
【０２１０】
〔３５〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールにおいて、前記撮像素子に対する前記撮像レンズの光軸方向位置を調整するレンズ位置決め方法であって、
前記レンズ駆動装置の可動部分が無限遠側の基準に位置する状態において、前記レンズバレルの一部を前記撮像素子の少なくとも一部を覆うように設けられたセンサカバーに当接させて位置決めすることを特徴とするレンズ位置決め方法。
【０２１１】
〔３６〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールにおいて、前記撮像素子に対する前記撮像レンズの光軸方向位置を調整するレンズ位置決め方法であって、
前記レンズ駆動装置の可動部分が無限遠側の基準に位置する状態において、前記レンズバレルの一部を前記撮像レンズと前記撮像素子の間に設けられた、必要な撮像光を透過する光透過基板に当接させて位置決めすることを特徴とするレンズ位置決め方法。
【０２１２】
〔３７〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールにおいて、前記撮像素子に対する前記撮像レンズの光軸方向位置を調整するレンズ位置決め方法であって、
前記レンズ駆動装置の可動部分が無限遠側の基準に位置する状態において、前記レンズバレルの一部を前記撮像素子に当接させて位置決めすることを特徴とするレンズ位置決め方法。
【０２１３】
〔３８〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールにおいて、前記撮像素子に対する前記撮像レンズの光軸方向位置を調整するレンズ位置決め方法であって、
前記レンズ駆動装置の可動部分が無限遠側の基準に位置する状態において、前記レンズバレルの一部を、前記撮像素子を搭載している基板に当接させて位置決めすることを特徴とするレンズ位置決め方法。
【０２１４】
〔３９〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールにおいて、前記撮像素子に対する前記撮像レンズの光軸方向位置を調整するレンズ位置決め方法であって、
前記レンズ駆動装置の可動部分が無限遠側の基準に位置する状態において、前記レンズバレルの一部を前記レンズ駆動装置の固定部分に当接させて位置決めすることを特徴とするレンズ位置決め方法。
【０２１５】
〔４０〕上記〔３５〕〜〔３９〕のいずれか１項に記載のレンズ位置決め方法において、前記レンズバレルを当接方向に加圧しながら前記レンズ駆動装置に固定することを特徴とするレンズ位置決め方法。
【０２１６】
〔４１〕撮像レンズを搭載したレンズバレルと、前記撮像レンズを無限遠側とマクロ側の間で光軸方向に駆動するためのレンズ駆動装置と、前記撮像レンズを通して入射した光を電気信号に変換するための撮像素子とを備えたカメラモジュールにおいて、前記撮像素子に対する前記撮像レンズの光軸方向位置を調整するレンズ位置決め方法であって、
あらかじめレンズバレルの基準面に対してレンズの光軸方向位置を調整する工程と、
レンズバレルの基準面をカメラモジュールの所定の固定基準面に当接させる工程と、
この状態でレンズバレルをレンズ駆動装置の可動部分に対して固定する工程とからなるレンズ位置決め方法。
【０２１７】
〔４２〕上記〔４１〕に記載のレンズ位置決め方法において、前記レンズバレルの基準面は、レンズのコバ面に取り付けられたリテナーであり、リテナーの厚さを選択することにより、レンズバレルの基準面に対する光軸方向位置を調整することを特徴とするレンズ位置決め方法。
【０２１８】
従来のオートフォーカス機能付きのカメラモジュールは、レンズねじ込みによって、フォーカス調整する構造（方法）であるため、カメラモジュールの小型化を妨げるとともに、多くのコストロスが生じる。具体的には、従来のカメラモジュールは、レンズホルダとレンズケースとに形成されたねじを利用して、レンズの高さを調整する。このため、レンズケースのねじ込み作業、フォーカス調整作業等の工程負担がかかること、レンズホルダとレンズケースのそれぞれにねじ山を形成することで小型、小径化の妨げになること、ねじ込み量のばらつきを考慮して余分なストロークを見込んでおく必要があること、などの課題があった。また、ねじを切る（ねじ山を形成するための金型は複雑になるため、金型コストがかさむことや、金型成型のタクトタイムが長くなることなどの課題もあった。さらに、ねじ込みによる調整では、お互いの微妙なねじ形状のばらつき等によりねじ込みトルクが変化するため、メンテナンスを含めたトルク管理に多大な労力を要するなどの課題も生じる。
【０２１９】
これに対し、本発明によれば、レンズバレルがセンサカバー等の所定の基準面に当接する。このため、センサチップ面からレンズまでの距離の誤差は、センサカバーの厚さばらつき、あるいはセンサチップの厚さばらつき、レンズ駆動装置のベースの厚さばらつき、レンズバレルの基準面に対するレンズ取付け位置のばらつき等、最小限の累積誤差に抑えることができる。これにより、非常に高精度のレンズ取付けが可能になり、レンズバレルのねじ込み作業を含めたレンズの初期フォーカス調整が不要となる。また、レンズバレルやレンズホルダの少なくとも一方にねじ山が不要なため、金型コストが低減できるとともに、トルク管理も不要となる。また、ねじ山を両方に設けない場合は、その分の小型、小径化が可能となる。さらに、ねじ込み量のばらつきを考慮した余分なストロークが不要になるため、モジュールの薄型化にも寄与できる。
【０２２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２２１】
本発明は、特に、携帯用端末などの通信機器をはじめとする各種電子機器に搭載されるカメラモジュールに好適に利用することができる。
【符号の説明】
【０２２２】
１  光学部
２  レンズ駆動装置（レンズ駆動部）
３  撮像部
４  センサ部
５  基板
６  撮像レンズ
６ａ  コバ部
７  レンズバレル
８  レンズホルダ（可動部）
９  板ばね（弾性体）
１５  ベース（固定部）
２０  ガラス基板（光透過基板）
２１  センサチップ（撮像素子）
２２  センサカバー
２２ａ  開口（光透過領域）
２５  受光部
２６  リテナー
３０  凹部
３１  ねじ山
１００〜１１１  カメラモジュール
【図１】
2010134409.tif 000003
【図２】
2010134409.tif 000004
【図３】
2010134409.tif 000005
【図４】
2010134409.tif 000006
【図５】
2010134409.tif 000007
【図６】
2010134409.tif 000008
【図７】
2010134409.tif 000009
【図８】
2010134409.tif 000010
【図９】
2010134409.tif 000011
【図１０】
2010134409.tif 000012
【図１１】
2010134409.tif 000013
【図１２】
2010134409.tif 000014
【図１３】
2010134409.tif 000015
【図１４】
2010134409.tif 000016
【図１５】
2010134409.tif 000017
【図１６】
2010134409.tif 000018
【図１７】
2010134409.tif 000019
【図１８】
2010134409.tif 000020
【図１９】
2010134409.tif 000021
【図２０】
2010134409.tif 000022